(57)【要約】【課題】広範囲に略均一な風速の気流を居住者が直接浴びることで涼感を得られ、また居住者の体に直接風を当てずに室内空気を攪拌して温度ムラを無くすことができる送風装置を提供することを目的とする。【解決手段】空気を取り入れる吸込口７を備えた筐体２と、前記筐体２から起立し当該起立する方向に対して垂直方向に前記筐体２に取り入れた空気を吹き出す吹出口５を備えた複数のピラー３と、前記吸込口７から前記吹出口５に空気を導く送風部と、を備え、前記複数のピラー３は、前記吹出口５を前記筐体２から遠方に備えた遠部吹出しピラー３ａと、前記吹出口５を前記遠部吹出しピラー３ａの前記吹出口５よりも前記筐体２側に備えた近部吹出しピラー３ｂと、を有し、隣接するピラー３との間に誘引風路６としての間隙を設けて同一平面上に配置された送風装置を提供する。【選択図】図１
2019108842.tif 000002
【特許請求の範囲】
【請求項１】
空気を取り入れる吸込口を備えた筐体と、
前記筐体から起立した複数のピラーと、
前記ピラーに設けられ、前記筐体に取り入れた空気を前記起立する方向に対して垂直方向に吹き出す吹出口と、
前記吸込口から前記吹出口に空気を導く送風部と、を備え、
前記複数のピラーは、
前記吹出口を前記筐体から遠方に備えた遠部吹出ピラーと、
前記吹出口を前記遠部吹出ピラーの前記吹出口よりも前記筐体側に備えた近部吹出ピラーと、を有し、
隣接するピラーとの間に誘引風路としての間隙を設けて同一平面上に配置された送風装置。
【請求項２】
前記複数のピラーは、
前記同一平面上において前記近部吹出ピラーを前記遠部吹出ピラーの外側に配置した請求項１記載の送風装置。
【請求項３】
前記複数のピラーは、
前記近部吹出ピラーを構成する吹出口と前記遠部吹出ピラーを構成する吹出口とが前記同一平面であって相対する方向に向けて配置された請求項１または２に記載の送風装置。
【請求項４】
前記遠部吹出ピラーを構成する吹出口は、
前記吸込口と同一方向に開口する請求項１から３のいずれかに記載の送風装置。
【請求項５】
前記ピラーは、
前記遠部吹出ピラーとしての吹出口と前記近部吹出ピラーとしての吹出口とを切り替える切替構造を備えた請求項１から４のいずれかに記載の送風装置。
【請求項６】
前記切替構造は、
前記ピラーの一端から他端まで設けられた開口と、
前記開口の前記一端の側から前記他端の側の範囲でスライドするスライド部と、を備えた請求項５記載の送風装置。
【発明の詳細な説明】
【技術分野】
【０００１】
本発明は、居室内に設置され、直接気流による体感温度の減少や室内の空気の循環に使用される送風装置に関するものである。
【背景技術】
【０００２】
広範囲に略均一な風速の気流を提供できる送風装置として、例えば、下記特許文献１に記載される送風装置がある。
【０００３】
従来の送風装置の構成を図１１、図１２に示す。
【０００４】
この送風装置１０１は、筐体１０２に、空気を取り入れる吸込口１０３と、高圧空気を発生するための羽根車１０４とその羽根車を駆動するためのモータ（図示せず）で構成された高圧空気発生部（図示せず）と、筐体１０１の一面から起立させた複数のノズル１０５とを備える。
【０００５】
ノズル１０５は、側部に、ノズル１０５を起立させた方向に対して垂直方向に高圧空気発生部で発生した高圧空気を吹出す吹出口１０６を備える。
【０００６】
また、ノズル１０５は、内部に、高圧空気を吹出口に導くためのダクト１０７を備える。
【０００７】
このノズル１０５は、前記垂直方向の断面が吹出方向に縦長であり、複数それぞれの吹出口１０６が同一面となるように間隙を設けて備えられる。
【０００８】
その間隙によって、吹出口１０６から吹出す空気に誘引される空気の誘引風路１０８が形成される。
【０００９】
この送風装置１０１は、吹出口１０６からの高圧空気の吹出しにより誘引される空気が小さくならないよう間隙を設けて複数のノズル１０５が備えられているため、複数の吹出口１０６から吹出された高圧空気と、吹出口１０６からの高圧空気の吹出しにより誘引される空気からなる面気流を広範囲に略均一な風速の気流とすることができる。
【００１０】
また、吹出口１０６を面一とすることで、吹出す気流は面気流となる。
【００１１】
この面気流は広範囲に略均一な風速の、吹出方向に直線的な気流のため、面気流の中心部にコア領域が形成されるため直進性に優れ、遠方まで風速の減衰が少なく到達することができる。
【先行技術文献】
【特許文献】
【００１２】
【特許文献１】特開２０１７−１１５６２９号公報
【発明の概要】
【発明が解決しようとする課題】
【００１３】
このような従来の送風装置においては、例えば、季節に応じて春や夏などは居住者が直接風を浴びて涼感が得られるように使用でき、秋や冬などは冷風感や乾燥感を与えないために居住者の体に直接風を当てず、室内空気を攪拌して温度ムラを無くすように送風したい、という要望がある。しかしながら、各ノズル全体からの送風により広範囲な面気流を発生させるため、多様な送風を行なうことが難しいという課題を有していた。
【００１４】
そこで、本発明は上記課題を解決するものであり、広範囲に略均一な風速の気流を居住者が直接浴びることで涼感を得られ、また居住者の体に直接風を当てずに室内空気を攪拌して温度ムラを無くす等、多用な送風を行なうことができる送風装置を提供することを目的とする。
【課題を解決するための手段】
【００１５】
そして、この目的を達成するために、本発明に係る送風装置は、空気を取り入れる吸込口を備えた筐体と、前記筐体から起立した複数のピラーと、前記ピラーに設けられ、前記筐体に取り入れた空気を前記起立する方向に対して垂直方向に吹き出す吹出口と、前記吸込口から前記吹出口に空気を導く送風部とを備え、前記複数のピラーは、前記吹出口を前記筐体から遠方に備えた遠部吹出ピラーと、前記吹出口を前記遠部吹出ピラーの前記吹出口よりも前記筐体側に備えた近部吹出ピラーとを有し、隣接するピラーとの間に誘引風路としての間隙を設けて同一平面上に配置されたものであり、これにより所期の目的を達成するものである。
【発明の効果】
【００１６】
本発明によれば、多用な送風を行なうことができる送風装置を提供できる。
【図面の簡単な説明】
【００１７】
【図１】本発明に係る送風装置の実施の形態１の送風装置の外観正面斜視図
【図２】本発明の係る送風装置の実施の形態１の送風装置の外観背面斜視図
【図３】本発明の係る送風装置の実施の形態１の送風装置の構成を示す概略断面図
【図４】本発明の係る送風装置の実施の形態１の送風装置を稼動させた室内空間の気流を示す概略図
【図５】本発明の係る送風装置の実施の形態２の送風装置の外観正面斜視図
【図６】本発明に係る送風装置の実施の形態２の送風装置の外観背面斜視図
【図７】本発明に係る送風装置の本発明の係る送風装置の実施の形態２の送風装置を稼動させた室内空間の気流を示す概略図
【図８】本発明に係る送風装置の実施の形態３の送風装置のピラー単体の外観斜視図
【図９】本発明に係る送風装置の実施の形態３の送風装置のスライド板の外観斜視図
【図１０】本発明に係る送風装置の実施の形態３の送風装置のピラーの構成を示す概略断面図
【図１１】従来の送風装置を示す外観斜視図
【図１２】従来の送風装置の構成を示す概略断面図
【発明を実施するための形態】
【００１８】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１９】
（実施の形態１）
図１に示すように、送風装置１は、筐体２の上面に等しい長さの６本のピラー３を起立させた状態で備えており、上部には複数のピラー３に掛かる天板４が設けられている。天板４は、ピラー３の間の空間、すなわち誘引風路を上部で塞いでいる。
【００２０】
ピラー３の本数については、本送風装置を設置する空間の広さ等に応じて変更しても良い。
【００２１】
また、ピラー３の上部、隣接するピラー３の間隙を天板４で塞いだが、ピラー３の上面のみを塞ぎ、ピラー３の間隙が開放されていても良い。
【００２２】
６本のピラー３のうち、中央の２本には遠部吹出しピラー３ａが配置され、遠部吹出しピラー３ａの外側にそれぞれ２本ずつ、合計４本の近部吹出しピラー３ｂが配置されている。
【００２３】
遠部吹出しピラー３ａは、起立する方向に対して垂直方向に空気を吹き出す吹出口５ａを筐体２から遠方に備えている。
【００２４】
一方、近部吹出しピラー３ｂは、起立する方向に対して垂直方向に空気を吹き出す吹出口５ｂを遠部吹出しピラー３ａの吹出口５ａよりも筐体２側に備えている。
【００２５】
本実施の形態では、遠部吹出しピラー３ａにおいて、高さ方向の中央部より上側に、中央部から筐体２とは逆側の端部（以後、上端と称する）にわたって吹出口５ａを設け、近部吹出しピラー３ｂにおいて、高さ方向の中央部より下側に、中央部から筐体２側の端部（以後、下端と称する）にわたって吹出口５ｂを設けている。
【００２６】
吹出口５ａ、吹出口５ｂをそれぞれのピラー３の上側半分、下側半分としたが、中央部に重なるように、吹出口５ａ、吹出口５ｂを半分以上の寸法としても良く、また吹出口５ａを遠部吹出しピラー３ａの上端から半分以下の寸法、吹出口５ｂを近部吹出しピラー３ｂの下端から半分以上の寸法としても良い。
【００２７】
遠部吹出しピラー３ａと近部吹出しピラー３ｂは、吹出口５ａ、吹出口５ｂの吹出方向が同一方向となるように、隣接するピラー３との間に誘引風路６としての間隙を設けて同一平面上に配置されている。
【００２８】
ここで、同一平面とは、全てのピラー３の吹出口５ａ、吹出口５ｂを備える側面と吹出口５ａ、吹出口５ｂと対向する側面が一致し、一直線状に並んでいる状態を示す。
【００２９】
言い換えれば、ピラー３の吹出口５を備える側面とその対向する側面との寸法を０とみなした平面である。
【００３０】
また、図２に示すように、筐体２は、吹出口５ａ、吹出口５ｂと相対する側面に空気を取り入れる吸込口７を備えている。
【００３１】
吸込口７には、室内空気のほこり、小片の異物などの浸入を防止するためのフィルターを備えている。
【００３２】
次に、図３を用いて、送風装置１の内部の概略構成を説明する。
【００３３】
なお、図３は吸込口７から見た送風装置１の内部を示している。
【００３４】
筐体２の内部には、吸込口７から取り込まれた空気をピラー３に供給するための送付部としてのファン８とモータ９がそれぞれ３台備えられている。
【００３５】
それぞれのファン８の吹出口の下流で筐体２の内側上部に、チャンバー１０が３つ設けられ、それぞれのチャンバー１０は１つのファン８と２本のピラー３と連通している。
【００３６】
なお、本実施の形態では、モータ１台、ファン１個、チャンバー１個、ピラー２本という組み合わせを１送風単位としているが、それぞれ１つずつ、または、各構成部品を複数個の組み合わせとしても良い。
【００３７】
また、ファン８とモータ９が配置される空間を１つの空間としているが、筐体２の内部に仕切りを設けて複数の空間、たとえば本実施の形態の場合では、ファン８、モータ９の１つずつの空間に仕切り、３つの空間としても良い。
【００３８】
筐体２の内部には、それぞれのモータ９の駆動、停止、また駆動時の回転数を独立して制御する制御部１１を備えている。
【００３９】
また、各ピラー３の吹出口５には、吹出口５から送風される空気が水平方向に吹出すように、複数の風向板１２を、その平面が水平になるように備えている。
【００４０】
次に送風装置１の動作について説明する。
【００４１】
図４に示すように、送風装置１は、天板４が室内空間１３の天井に接するように室内空間１３に設置される。
【００４２】
たとえば、春や夏などにおいて、送風装置１を稼動させて涼感を得たい場合、図４の（ａ）に示すように、制御部１１が近部吹出しピラー３ｂと連通するファン８ａ、８ｃのモータ９ａ、９ｂを駆動させると、ファン８ａ、８ｃが回転することにより、室内空気は吸込口７から筐体２の内部に取り込まれる。
【００４３】
取り込まれた空気は、ファン８ａ、８ｃを通過し、チャンバー１０ａ、１０ｃへ流入する。
【００４４】
チャンバー１０ａ、１０ｃに流入した空気は、チャンバー１０ａ、１０ｃでそれぞれ２本の近部吹出しピラー３ｂに分流され、近部吹出しピラー３ｂの内部を通過し、吹出口５ｂから室内空間１３へ吹出され、吹出気流１４となる。
【００４５】
吹出気流１４により、誘引風路６と最外部の近部吹出しピラー３ｂの外側の空気が誘引され、誘引気流１５となる。
【００４６】
吹出気流１４と誘引気流１５は送風装置１の吹出方向前方で合流され、広範囲に略均一な風速の面気流が送風できる。
【００４７】
また、４本の近部吹出しピラー３ｂのそれぞれの吹出口５ｂが同一面にあることで、吹出す気流は面気流となる。
【００４８】
面気流は略均一な風速の気流で、吹出方向に直線的な気流のため、面気流の中心にコア領域が形成される。
【００４９】
よって、直進性に優れ、遠方まで風速の減衰が少なく到達することができる。
【００５０】
このとき、吹出口５ｂは近部吹出しピラー３ｂの下側に配置されているため、吹出気流１４と誘引気流１５から形成された面気流は室内空間１３の居住者の体あたりの高さを流れることとなり、この面気流を居住者が直接浴びることで涼感を得られることとなる。
【００５１】
次に、特に気温の高い夏などで強い涼感を得たい場合や、室内空気を急速に攪拌させたい場合、図４の（ｂ）に示すように、制御部１１が全てのモータ９を駆動させると、すべてのファン８が回転することにより、吸込口７から筐体２の内部へ取り込まれた空気は、ファン８を通過し、各チャンバー１０へ流入する。
【００５２】
各チャンバー１０へ流入した空気は、チャンバー１０でそれぞれのチャンバー１０に連通する２本のピラー３に分流され、ピラー３の内部を通過し、すべての吹出口５から室内空間１３へ吹出され、吹出気流１４となる。
【００５３】
吹出気流１４により、すべての誘引風路６と最外部の近部吹出しピラー３ｂの外側の空気が誘引され、誘引気流１５となり、吹出気流１４と誘引気流１５が送風装置１の吹出方向前方で合流され、広範囲に略均一な風速の面気流が送風できる。
【００５４】
面気流は略均一な風速の気流で、吹出方向に直線的な気流のため、面気流の中心にコア領域が形成される。
【００５５】
よって、直進性に優れ、遠方まで風速の減衰が少なく到達することができる。
【００５６】
このとき、吹出口５ｂは近部吹出しピラー３ｂの下側に配置され、吹出口５ａは遠部吹出しピラー３ａの上側に配置されているため、吹出気流１４と誘引気流１５から形成された面気流は、室内空間１３の下方から上方までの全体を流れ、居住者は頭部から体あたりの高さに吹出されたこの面気流を直接体全体で浴びることで強い涼感を得られ、また、室内空間１３全体の空気を攪拌することとなる。
【００５７】
次に、秋や冬季などにおいて、送風装置１を稼動させる場合、図４の（ｃ）に示すように、制御部１１が遠部吹出しピラー３ａと連通するファン８ｂのモータ９ｂを駆動させると、ファン８ｂが回転することにより、室内空気は吸込口７から筐体２の内部に取り込まれる。
【００５８】
取り込まれた空気は、ファン８ｂを通過し、チャンバー１０ｂへ流入する。
【００５９】
チャンバー１０ｂに流入した空気は、チャンバー１０ｂで２本の近部吹出しピラー３ｂに分流され、近部吹出しピラー３ｂの内部を通過し、吹出口５ａから室内空間１３へ吹出され、吹出気流１４となる。
【００６０】
吹出気流１４により、２本の遠部吹出しピラー３ａの間に形成された誘引風路６と遠部吹出しピラー３ａと隣接する近部吹出しピラー３ｂとの間に形成された誘引風路の空気が誘引され、誘引気流１５となる。
【００６１】
吹出気流１４と誘引気流１５が送風装置１の吹出方向前方で合流され、広範囲に略均一な風速の面気流が送風できる。
【００６２】
また、２本の遠部吹出しピラー３ａのそれぞれの吹出口５ａが同一面にあることで、吹出す気流は面気流となる。
【００６３】
面気流は略均一な風速の気流で、吹出方向に直線的な気流のため、面気流の中心にコア領域が形成される。
【００６４】
よって、直進性に優れ、遠方まで風速の減衰が少なく到達することができる。
【００６５】
このとき、吹出口５ａは遠部吹出しピラー３ａの上部に配置されているため、送風装置１の下方にある吸込口７から取り込まれた室内空間１３の下方の空気は、吹出気流１４と誘引気流１５から形成された面気流となり、居住者の頭部あたりから室内空間１３の上方の空間に、送風装置１から室内空間１３の遠方まで吹出されることとなり、居住者の体に直接風を当てずに室内空気を攪拌して温度ムラを無くすことができる。
【００６６】
なお、本実施の形態では風向板１２を、その平面が水平となるように備えたが、たとえば、遠部吹出しピラー３ａの吹出口５ａから吹出された気流を、居住者から遠ざけるように、天井方向に吹出すように、風向板１２を遠部吹出しピラー３ａの内部から吹出口５ａに向かって上向きに傾斜するように備えるなど、水平以外に備えても良い。
【００６７】
（実施の形態２）
次に本発明の実施の形態２の送風装置１について、実施の形態１の送風装置１と相違する点を中心に説明する。
【００６８】
実施の形態１の送風装置１と同一の構成については、同一の符号を付し説明を省略する。
図５、図６に示すように、送風装置１は、筐体２の上面に等しい長さの６本のピラー３を起立させた状態で備えており、ピラー３の上部は天板４で塞いでいる。
【００６９】
６本のピラー３のうち、中央の２本は遠部吹出しピラー３ａが配置され、遠部吹出しピラー３ａの外側にそれぞれ２本ずつ、合計４本の近部吹出しピラー３ｂが配置されている。
【００７０】
遠部吹出しピラー３ａと近部吹出しピラー３ｂは、吹出口５ａ、吹出口５ｂの吹出方向が相対する方向となるように、隣接するピラー３との間に誘引風路６としての間隙を設けて同一平面上に配置されている。
【００７１】
ここで、前述の通り、同一平面とは、全てのピラー３の吹出口５ａ、５ｂを備える側面と吹出口５ａ、５ｂと対向する側面が一致し、一直線状に並んでいる状態を示す。
【００７２】
言い換えれば、ピラー３の吹出口５を備える側面とその対向する側面との寸法を０とみなした平面である。
【００７３】
また、図６に示すように、筐体２には、吹出口５ｂと同一方向となる側面に空気を取り入れる吸込口７を備えている。
【００７４】
次に送風装置１の動作について、説明する。
【００７５】
遠部吹出しピラー３ａと連通するモータ９ｂの回転数を近部吹出しピラー３ｂと連通するモータ９ａ、９ｃよりも高い回転数で駆動させ、すべてのモータ９を駆動させると、すべてのファン８が回転することにより、室内空気は吸込口７から筐体２の内部に取り込まれる。
【００７６】
筐体２に取り込まれた空気は、ファン８を通過し、各チャンバー１０へ流入した後、チャンバー１０でそれぞれのチャンバー１０に連通する２本のピラー３に分流され、ピラー３の内部を通過し、すべての吹出口５から室内空間１３へ吹出され、吹出気流１４となる。
【００７７】
遠部吹出しピラー３ａから吹出された吹出気流１４により、２本の遠部吹出しピラー３ａの間に形成された誘引風路６と遠部吹出しピラー３ａと隣接する近部吹出しピラー３ｂとの間に形成された誘引風路６の空気が誘引され、誘引気流１５となる。
【００７８】
吹出気流１４と誘引気流１５が送風装置１の吹出口５ａの吹出方向前方で合流され、広範囲に略均一な風速の面気流が送風できる。
【００７９】
また、２本の遠部吹出しピラー３ａのそれぞれの吹出口５ａが同一面にあることで、吹出す気流は面気流となる。
【００８０】
面気流は略均一な風速の気流で、吹出方向に直線的な気流のため、面気流の中心にコア領域が形成される。
【００８１】
よって、直進性に優れ、遠方まで風速の減衰が少なく到達することができる。
【００８２】
一方、近部吹出しピラー３ｂから吹出された吹出気流１４により、２本の近部吹出しピラー３ｂの間に形成された誘引風路６と、近部吹出しピラー３ｂと隣接する遠部吹出しピラー３ａとの間に形成された誘引風路６と、最外部の近部吹出しピラー３ｂの外側の空気が誘引され、誘引気流１５となる。
【００８３】
吹出気流１４と誘引気流１５が送風装置１の吹出口５ｂの吹出方向前方で合流され、広範囲に略均一な風速の面気流が送風できる。
【００８４】
また、４本の近部吹出しピラー３ｂのそれぞれの吹出口５ｂが同一面にあることで、吹出す気流は面気流となる。
【００８５】
面気流は略均一な風速の気流で、吹出方向に直線的な気流のため、面気流の中心にコア領域が形成される。
よって、直進性に優れ、遠方まで風速の減衰が少なく到達することができる。
【００８６】
ここで、遠部吹出しピラー３ａから吹出された吹出気流１４とそれにより誘引された誘引気流１５からなる面気流は、直進性に優れ、居住者の頭部あたりから上方の室内空間１３を遠方まで風速の減衰が少なく流れることとなる。
【００８７】
送風装置１の吸込口７を遠部吹出しピラー３ａの吹出口５ａと同一方向に設けているため、居住者の頭部あたりから上方の室内空間１３を遠方まで流れた面気流は、その後、室内空間１３の中央から下方の空間などを吸込口７へ向かって流れる。
【００８８】
吸込口７へ向かって流れた空気の一部は、吸込口７より筐体２に取り込まれ、吹出口５ａ、吹出口５ｂより室内空間１３へ吹出され、また、吸込口７へ向かって流れた空気の一部は近部吹出しピラー３ｂから吹出された吹出気流１４により誘引された誘引気流１５となり、吹出気流１４と合流し、面気流となる。
【００８９】
この面気流は、直進性に優れ、室内空間１３の中央から下方の空間を遠方まで風速の減衰が少なく流れた後、室内空間１３の中央から上方の空間などを流れて、遠部吹出しピラー３ａから吹出された吹出気流により、送風装置１の誘引風路６に誘引される。
【００９０】
このような一連の空気の流れにより、送風装置１を中心として、室内空間１３全体を循環する気流が形成され、室内空気を攪拌して温度ムラを無くすことができる。
【００９１】
なお、居住者に冷風感などを与えないように、近部吹出しピラー３ｂから吹出される気流を低風速とするために、近部吹出しピラー３ｂと連通するモータ９ａ、９ｂの回転数を低回転としたが、居住者の体感、嗜好に応じて、モータ９ａ、９ｃの回転数を変更しても良い。
【００９２】
（実施の形態３）
次に本発明の実施の形態３の送風装置１について、実施の形態１、及び実施の形態２の送風装置１と相違する点を中心に説明する。
【００９３】
実施の形態１、及び実施の形態２の送風装置１と同一の構成については、同一の符号を付し説明を省略する。
【００９４】
図８は本実施の形態３のピラー３を示している。
【００９５】
図８に示すように、ピラー３の側面には、筐体２側の一端から他端、すなわち、ピラー３の下端から上端まで、吹出口５が設けられている。
【００９６】
吹出口５には、スライド板１６が供えられており、スライド板１６は、図８の（ａ）、（ｂ）、（ｃ）に示すように、吹出口５の下端から上端の範囲を移動できる。
【００９７】
スライド板１６は、吹出口５の半分の長さの遮蔽板１７と押え板１８と押え板１８を貫通し、遮蔽板１７とねじ締結されるつまみ１９から構成される。
【００９８】
ピラー３の吹出口５の内部には、吹出口５と同じ長さの溝２０が設けてあり、遮蔽板１７は溝２０に挿入され、溝２０に沿って稼動する。
【００９９】
つまみ１９を締めこむと遮蔽板１７と押え板１８の間隔が狭くなり、遮蔽板１７と押え板１８の間に介在するピラー３を挟みつけることで、スライド板１６が固定される。
【０１００】
逆に、つまみ１９を緩めることで、スライド板１６を任意の位置に移動させることができる。
【０１０１】
スライド板１６をスライドさせることにより、ピラー３の吹出口５の開口部を居住者が任意に設定できることになる。
【０１０２】
これにより、すべてのピラー３のスライド板１６を上部に固定し、すべてのピラー３を近部吹出しピラー３ｂとすることで、すべての吹出口５がピラー３の下側となり、より強い面気流を体全体で浴びることができ、強い涼感を得ることができる。
【０１０３】
また、６本のピラー３のうち、中央２本以外の両端４本のスライド板１６、またはすべてのピラー３のスライド板１６を下側に固定し、遠部吹出しピラー３ａとすることで、居住者の体に直接風を当てずに室内空気を攪拌して温度ムラを無くす効果を高めることができる。
【０１０４】
つまり、居住者の体感、嗜好、室内環境、在室位置などに応じて、任意に吹出口５の位置を変更することで、涼感の調整や室内空気の循環効果を高めることができる。
【０１０５】
なお、スライド板１６の構造については、遠部吹出しピラー３ａとしての吹出口５ａと近部吹出しピラー３ｂとしての吹出口５ｂを任意に変更できる構造であれば良い。
【０１０６】
また、上記実施の形態においては、筐体側を下部（下方向）とし、ピラー側を上部（上方向）として、上部、下部、高さ方向等の説明を行なっているが、必ずしも送風装置の設置状態または動作状態における上部、下部を示すものではない。設置状態または動作状態においては、例えば図１に示す方向に対して上下逆に配置してもなんら問題は無い。
【産業上の利用可能性】
【０１０７】
本発明に係る送風装置は、広範囲に略均一な風速の気流を提供しつつ、複数の近部吹出ピラーの吹出口より送風された風を居住者が直接を浴びることで涼感が得られ、複数の遠部吹出ピラーの吹出口より送風することで、居住者の体に直接風を当てず、室内空気を攪拌して温度ムラを無くすという効果を得ることができるので、居室内に設置され、直接気流による体感温度の減少や室内の空気の循環に使用される各種送風機気として有用である。
【符号の説明】
【０１０８】
１    送風装置
２    筐体
３    ピラー
３ａ    遠部吹出しピラー
３ｂ    近部吹出しピラー
４    天板
５    吹出口
５ａ    吹出口
５ｂ    吹出口
６    誘引風路
７    吸込口
８    ファン
８ａ    ファン
８ｂ    ファン
８ｃ    ファン
９    モータ
９ａ    モータ
９ｂ    モータ
９ｃ    モータ
１０    チャンバー
１０ａ    チャンバー
１０ｂ    チャンバー
１０ｃ    チャンバー
１１    制御部
１２    風向板
１３    室内空間
１４    吹出気流
１５    誘引気流
１６    スライド板
１７    遮蔽板
１８    押え板
１９    つまみ
２０    溝
【図１】
2019108842.tif 000003
【図２】
2019108842.tif 000004
【図３】
2019108842.tif 000005
【図４】
2019108842.tif 000006
【図５】
2019108842.tif 000007
【図６】
2019108842.tif 000008
【図７】
2019108842.tif 000009
【図８】
2019108842.tif 000010
【図９】
2019108842.tif 000011
【図１０】
2019108842.tif 000012
【図１１】
2019108842.tif 000013
【図１２】
2019108842.tif 000014